【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
熱電併給（Combined Heat and Power、ＣＨＰ）システムであって、該ＣＨＰシステムは次のもので構成される：
燃焼チャンバー、および固体燃料を燃焼チャンバーに供給するように構成された供給機構を有する燃焼システムであって、燃焼チャンバーは、燃焼および燃焼ガス排気用のガス入口を有し、燃焼チャンバーは固体燃料の燃焼のための燃焼空気入口に膨張加熱二次ガスを受けるように構成されており；
ガス入口と直列に動作可能に結合され、加熱膨張二次ガスの流れを制御するように動作可能である比例バルブ；
燃焼チャンバーに動作可能に接続され、高温燃焼ガスを受けるように構成された排気プレナムであって、プレナムは、高温燃焼ガスと混合するために膨張加熱二次ガスを排気プレナムに方向付けるように動作可能な二次ガスポートを含み；
排気プレナムに動作可能に結合され、混合燃焼ガスを受けるように構成された高温熱交換器であって、高温熱交換器は、混合燃焼ガスから圧縮二次ガスに熱を伝達するように動作可能であり；
駆動シャフト上に動作可能に接続された圧縮セクションおよび膨張セクションを有するガスタービンであって、ガスタービンは、圧縮セクションへの入口で二次ガスを受け、二次ガスを圧縮し、圧縮された二次ガスを高温熱交換器の入口に方向付けるように構成され、ガスタービンは、膨張セクションへの入口で加熱圧縮二次ガスを受け、加熱圧縮二次ガスを膨張させ、仕事を生成するように構成され、ガスタービンの膨張セクションの出力は、粒子分離器の二次ガスポートおよび燃焼チャンバーの燃焼入口へ動作可能に結合されており；および
ガスタービンの駆動軸に動作可能に接続され、生成される仕事で電気を生成するように構成された発電機
を含む、熱電併給システム。
【請求項２】
燃焼チャンバーへの固体燃料の供給速度を制御するための制御機構をさらに含む、請求項１に記載のＣＨＰシステム。
【請求項３】
制御機構が供給機構および制御バルブを含む、請求項２に記載のＣＨＰシステム。
【請求項４】
燃焼ガス排気部において燃焼ガスの温度を感知するように動作可能な温度センサーをさらに含む、請求項１〜３のいずれか１項に記載のＣＨＰシステム。
【請求項５】
温度センサーが、熱電対、赤外線検出器、および半導体検出器のうちの少なくとも１つである、請求項４に記載のＣＨＰシステム。
【請求項６】
入口および排気部を有する高温粒子分離器をさらに含み、分離器が燃焼チャンバーに動作可能に接続され、高温燃焼ガスを受けるように構成され、排気部が排気プレナムを含む、請求項１〜５のいずれか１項に記載のＣＨＰシステム。
【請求項７】
高温粒子分離器がサイクロン分離器を含み、該サイクロン分離器が粒子状物質の除去のためにホッパーに動作可能に結合されている、請求項６に記載のＣＨＰシステム。
【請求項８】
サイクロン式分離器が、５ミクロンより大きいすべての微粒子の約９９％を除去する、請求項７に記載のＣＨＰシステム。
【請求項９】
比例バルブが、コントローラーに動作可能に接続され、加熱膨張二次ガスの流れを制御して高温燃焼ガスと混合するように構成された比例バルブである、請求項１に記載のＣＨＰシステム。
【請求項１０】
比例バルブが、膨張二次ガス、高温燃焼ガス、および混合燃焼ガスの少なくとも１つの温度に基づいて、高温燃焼ガスと混合する加熱膨張二次ガスの流れを制御する、請求項９に記載のＣＨＰシステム。
【請求項１１】
比例バルブが、コントローラーに動作可能に接続され、燃焼チャンバーへの加熱膨張二次ガスの流れを制御するように構成される、請求項１に記載のＣＨＰシステム。
【請求項１２】
比例バルブが、膨張二次ガス、高温燃焼ガス、混合燃焼ガスの少なくとも１つの温度、および加熱圧縮二次ガスの温度に基づいて、燃焼チャンバーへの加熱膨張二次ガスの流れを制御する、請求項１１に記載のＣＨＰシステム。
【請求項１３】
比例バルブが、加熱圧縮二次ガスの温度に基づいて、燃焼チャンバーへの加熱膨張二次ガスの流れを制御する、請求項１２に記載のＣＨＰシステム。
【請求項１４】
混合燃焼ガスの温度を感知するように動作可能な第２の温度センサーをさらに含む、請求項１〜１３のいずれか１項に記載のＣＨＰシステム。
【請求項１５】
加熱膨張二次ガスの温度を感知するように動作可能な第３の温度センサーをさらに含む、請求項１〜１４のいずれか１項に記載のＣＨＰシステム。
【請求項１６】
第１温度センサー、第２温度センサー、および第３温度センサーの少なくとも１つに動作可能に接続されたコントローラーをさらに含み、コントローラーは制御機構、比例バルブおよびガスバルブの少なくとも１つに動作可能に接続され、コントローラーは燃焼チャンバーへの固体燃料の供給速度、燃焼チャンバーへの膨張加熱二次ガスの流れ、および混合燃焼ガスの温度の少なくとも１つを制御する方法を実行するように構成される、請求項１５に記載のＣＨＰシステム。
【請求項１７】
燃焼チャンバーに動作可能に接続されたブロワーおよびヒーターをさらに含み、ブロワーおよびヒーターは、燃焼チャンバー中の固体燃料の燃焼開始のために動作するように構成される、請求項１に記載のＣＨＰシステム。
【請求項１８】
燃焼チャンバーに動作可能に接続されたドラフト誘導排気ファンをさらに含み、ドラフト誘導排気ファンは、燃焼チャンバーを膨張加熱二次ガスよりも低い圧力に維持するように構成される、請求項１に記載のＣＨＰシステム。
【請求項１９】
高温熱交換器が単一の向流熱交換器として構成される、請求項１記載のＣＨＰシステム。
【請求項２０】
高温熱交換器に動作可能に接続され、冷却された混合燃焼ガスを受けるように構成された低温熱交換器をさらに含み、低温熱交換器が二次低温用途のために冷却した混合燃焼ガスから二次低温作動流体へ熱を伝達するのに動作可能である、請求項１に記載のＣＨＰシステム。
【請求項２１】
熱電併給システム（ＣＨＰ）を動作する方法であって、
燃焼チャンバーで燃焼プロセスを開始し、膨張加熱二次ガスで固体燃料を燃焼させ、高温燃焼ガスを生成し；
高温燃焼ガスの温度を膨張加熱二次ガスで調整して、混合燃焼ガスを得；
二次ガスを圧縮し；
混合燃焼ガスから圧縮二次ガスに熱を伝達し；
圧縮加熱二次ガスを膨張させ、それによって仕事（work）を生成し；ついで
生成した仕事を使用する
ことを含む、方法。
【請求項２２】
燃焼チャンバーへの固体燃料の供給速度を制御すること、燃焼チャンバーへの膨張加熱二次ガスの流速を制御すること、および膨張加熱二次ガスの温度、混合燃焼ガスの温度、高温燃焼ガスの温度および生成した仕事の少なくとも１つに基づいて調整を制御すること、の少なくとも１つをさらに含む、請求項２１に記載のＣＨＰシステムを動作する方法。
【請求項２３】
高温燃焼ガスの温度を調節することが、加熱膨張二次ガスの流れを制御し、粒子分離後に高温燃焼ガスと混合することを含む、請求項２２に記載のＣＨＰシステムを動作する方法。
【請求項２４】
高温燃焼ガスの温度を測定することをさらに含む、請求項２１〜２３のいずれか１項に記載のＣＨＰシステムを動作する方法。
【請求項２５】
混合燃焼ガスの温度を測定することをさらに含む、請求項２１〜２４のいずれか１項に記載のＣＨＰシステムを動作する方法。
【請求項２６】
膨張加熱二次ガスの温度を測定することをさらに含む、請求項２１〜２５のいずれか１項に記載のＣＨＰシステムを動作する方法。
【請求項２７】
伝達が向流熱交換器で生じる、請求項２１に記載のＣＨＰシステムを動作する方法。
【請求項２８】
膨張加熱二次ガスが約６００℃の温度であり、燃焼プロセスに直接適用される、請求項２２に記載のＣＨＰシステムを動作する方法。
【請求項２９】
燃焼プロセスが、１０００℃、１０５０℃、１１００℃、および１１５０℃の少なくとも１つの温度を達成する、請求項２１に記載のＣＨＰシステムを動作する方法。
【請求項３０】
高温粒子分離器を用いて高温燃焼ガスから粒子状物質を除去することをさらに含む、請求項２１に記載のＣＨＰシステムを動作する方法。